(57)【特許請求の範囲】
【請求項１】
垂直方向に昇降動作可能な上刃と、定位置に固定状態の下刃との噛合摺接によりシート状体や製本物の端部を裁断する端部断裁加工装置において、前記上刃を昇降動作可能に支持するフレームにアームが第１取付部にて一体的に取り付け固定され、該フレームの外方に向かって水平方向に延設した前記アーム先端部に前記下刃が第２取付部にて一体的に取り付け固定され、前記第１取付部と第２取付部との間に、水平方向に移動可能な支点板が設けられていることを特徴とする端部断裁加工装置。
【請求項２】
前記上刃は凹丸状刃部を備え、前記下刃は前記上刃と噛合摺接可能な凸丸状刃部を備え、シート状体や製本物の端部における角隅部を角丸形状に裁断することを特徴とする請求項１記載の端部断裁加工装置。
【発明の詳細な説明】
【０００１】
【発明の属する技術分野】
本発明は、シート状体、あるいは書籍、雑誌、冊子、通帳等の製本物の端部を断裁加工する端部断裁加工装置に関する。
【０００２】
【従来の技術】
一般的に、用紙や偏平袋状容器などシート状体、あるいは書籍、雑誌、冊子、通帳等の製本物の端部を断裁加工する従来の端部断裁加工装置は、図３（ａ）の装置側面図に示すように、基台部１上の支持フレーム２に、垂直昇降用ガイド２ａに沿って垂直方向に昇降動作可能に支持された上刃３を備え、該基台部１上の支持フレーム４には、上刃３に備えた直線状又は凹丸状の刃部３ａと噛合摺接する直線状又は凸丸状の刃部５ａを備えた固定状態の下刃５が取り付けられているものである。
【０００３】
シート状体あるいは製本物等のワークの端部を断裁加工する際は、図３（ｂ）の装置部分拡大側面図に示すように、まず下刃５の上面にワークｗを載置し、その後、上刃３を支持フレーム２のガイド２ａに沿って垂直方向に下降動作して、上刃３の刃部３ａと下刃５の刃部５ａとをワークｗ端部の上下を挟んで噛合摺接することにより、ワークｗの端部が直線状又は丸線状に断裁される。
【０００４】
例えば、図３（ｃ）の装置平面図に示すように、上刃３に備えた凹丸状の刃部３ａと、下刃５に備えた凸丸状の刃部５ａとを、ワークｗの端部における角隅部の上下を挟んで噛合摺接することにより、ワークｗの角隅部が角丸形状に断裁されるものである。
【０００５】
ところで、上記のような従来の端部断裁加工装置を用いて、上刃と下刃との噛合動作と摺接動作とによりワークを断裁する場合には、図３（ｂ）に示すように上刃３の刃部３ａと下刃５の刃部５ａとが互いに噛合摺接する際に、下降動作する下刃３の垂直方向の応力による負荷が、下刃５先端部の刃部５ａに垂直方向に集中的に掛かるために、下刃５の先端部を矢印方向に僅かに撓ませ、上刃の刃部３ａと下刃の刃部５ａとの間の摺接クリアランスが、より大きくなる方向に作用する現象が発生する。
【０００６】
このような現象は、プラスチックフィルム製のシート状の偏平な袋製品のような軟質で薄い厚みのワークを、例えば一度に１００シート程度重ねて、その角隅部を角丸形状に断裁加工しようとした場合に、下刃面に接している最下部のワークが完全に断裁されずに角隅部が残ってしまう現象として発生し易い。そのために、この現象を避けるため、ワークの一番下に、下刃面に接して当て紙等を置いて作業を行っている。
【０００７】
このように一番下のワークが切れずに残ってしまう現象は、ワークがより薄い時、あるいは刃の切れが悪化した時、一度に重ねて断裁加工するワーク枚数が多い時などに顕著に現れる。
【０００８】
本発明の課題は、シート状体、あるいは書籍、雑誌、冊子、通帳等の製本物の端部を断裁加工する端部断裁加工装置において、上記のように下降動作する下刃３の垂直方向の応力による負荷が、下刃５先端部の刃部５ａに垂直方向に集中的に掛かる際に、下刃５の先端部を、上刃の刃部３ａと下刃の刃部５ａとの間の摺接クリアランスが、より小さくなる方向に作用するように改良した端部断裁加工装置を提供することにある。
【０００９】
【課題を解決するための手段】
本発明の請求項１に係る発明は、垂直方向に昇降動作可能な上刃と、定位置に固定状態の下刃との噛合摺接によりシート状体や製本物の端部を裁断する端部断裁加工装置において、前記上刃を昇降動作可能に支持するフレームにアームが第１取付部にて一体的に取り付け固定され、該フレームの外方に向かって水平方向に延設した前記アーム先端部に、前記下刃が第２取付部にて一体的に取り付け固定され、前記第１取付部と第２取付部との間に、水平方向に移動可能な支点板が設けられていることを特徴とする端部断裁加工装置である。
【００１０】
本発明の請求項２に係る発明は、上記請求項１に係る端部断裁加工装置において、前記上刃は凹丸状刃部を備え、前記下刃は前記上刃と噛合摺接可能な凸丸状刃部を備え、シート状体や製本物の端部における角隅部を角丸形状に裁断することを特徴とする端部断裁加工装置である。
【００１１】
【発明の実施の形態】
本発明の請求項１に係る端部断裁加工装置の実施の形態を、以下に詳細に説明すれば、図１の本発明装置側面図に示すように、基台部１上の支持フレーム２に垂直昇降用ガイド２ａに沿って垂直方向に昇降動作可能に支持された上刃３を備え、該上刃３には、直線状又は凹丸状の刃部３ａを備えている。
【００１２】
前記上刃３を昇降動作可能に支持する上記支持フレーム２には、アーム６の一端部が第１取付部７にて一体的に取り付け固定されている。この第１取付部７によってアーム６の一端の末端部領域（例えば図示するような点状領域）が支持フレーム２に取り付けられていて、前記アーム６の第１取付部７以外の部分は支持フレーム２に対して非取付状態であって自由な状態又は分離した状態となっている。また、該第１取付部７は、アーム６を該取付部７を中心に自由回転可能に取り付けた支軸部であってもよい。
【００１３】
前記アーム６の他端側は、支持フレーム２の外側に向かって水平方向に延設されていて、該アーム６他端側の先端部領域（例えば図示するような矩形領域）には、第２取付部８にて支持フレーム４が取り付けられ、該支持フレーム４には下刃５が一体的に取り付け固定され、下刃５は、支持フレーム２にアーム６によって一体的に取り付け支持されている。
【００１４】
前記第１取付部７と第２取付部８との間には、水平方向に移動可能なアーム６の中間部を下側から支持する支点板９が設けられ、支点板９の上端部との接触部をアーム６の支点部１０として、アーム６が僅かに撓むように設定されている。
【００１５】
前記アーム６の形状は、アーム６が支点部１０を介して僅かに撓むように設定されれば、本発明においては特に限定されるものではなく、図１に示すように、例えば側面形状が屈曲するクランク形状であってもよいし、あるいは直線形状等であってもよい。
【００１６】
支点板９の水平方向への移動する構造は、本発明においては特に限定されるものではないが、例えば、図１に示すように、水平な基台部１上面を摺動移動する構造であって、支点板９に水平方向に螺着した螺子１１と、該螺子１１をスラスト方向に保持して回転可能に軸支する軸受部１２とを設け、螺子１１をヘッド１１ａにて正転又は逆転方向に回転させることにより、支点板９を水平方向に適宜に移動させて、支点部１０の位置を調整することができる。
【００１７】
上記のような本発明の端部断裁加工装置を用いて、用紙や偏平袋状容器などシート状体や、書籍、雑誌、冊子、通帳等の製本物など平坦ワークの単一部数若しくは平坦に積み重ねた複数部数の端部を断裁加工する場合は、図２の装置部分拡大側面図に示すように、まず、下刃５の上面にワークｗを載置し、その後、上刃３を支持フレーム２のガイド２ａに沿って垂直方向に下降動作して、上刃３の刃部３ａと下刃５の刃部５ａとを、ワークｗ端部の上下を挟んで噛合摺接することにより、ワークｗの端部が直線状又は丸線状に断裁される。
【００１８】
例えば、上刃３に凹丸状の刃部３ａを備え、下刃５に、刃部３ａと噛合する凸丸状の刃部５ａを備える場合は、図３（ｃ）に示すように、ワークｗの端部における角隅部の上下を挟んで噛合摺接することにより、ワークｗの角隅部が角丸形状に断裁される。
【００１９】
ところで、本発明の端部断裁加工装置を用いて上刃３と下刃５との噛合動作と摺接動作とによりワークを断裁する場合には、図２に示すように、上刃３の刃部３ａと下刃５の刃部５ａとが互いに噛合摺接する際に、下降動作する下刃３の垂直方向の応力による負荷が、下刃５先端部の刃部５ａに垂直方向に集中的に掛かる。
【００２０】
その時の下刃５に垂直方向に掛かる応力によって、下刃５側のアーム６は、支点部１０を中心に矢印方向に、下刃の刃部５ａが上刃の刃部３ａ側に接近する方向に僅かに撓み、上刃の刃部３ａと下刃の刃部５ａとの間の摺接クリアランスが僅かにより小さくなる方向に作用する。
【００２１】
この作用により、上刃の刃部３ａに対して下刃の刃部５ａが離反する従来の現象を回避でき、例えば、プラスチックフィルム製のシート状の偏平な袋製品のような軟質で薄い厚みのワークｗを、一度に１００シート程度重ねて、その角隅部を角丸形状に断裁加工した場合、下刃５の面に接している最下部のワークｗは完全に断裁され、ワークｗの端部あるいは端部における角隅部が切れ残る現象を回避することができ、ワークｗの一番下に下刃５の面に接して当て紙等を置く等の作業を省力化でき、正確な断裁加工ができる。
【００２２】
【発明の効果】
本発明の端部断裁加工装置によれば、下降動作する下刃の垂直方向の応力による負荷が、下刃先端部の刃部に垂直方向に集中的に掛かる際に、下刃の先端部を上刃の刃部と下刃の刃部との間の摺接クリアランスがより小さくなる方向に作用するように改良でき、ワークの端部あるいは角隅部が切れ残る現象を回避することができ、ワークの一番下に下刃の面に接して当て紙等を置く等の作業を省力化でき、シートあるいは書籍、雑誌、冊子、通帳等の製本物の端部や角隅部を断裁加工する場合に正確な断裁加工ができる効果がある。
【図面の簡単な説明】
【図１】本発明の端部断裁加工装置の一例を説明する全体側面図。
【図２】本発明の端部断裁加工装置の一例を説明する部分拡大側面図。
【図３】（ａ）は、従来の端部断裁加工装置を説明する全体側面図、（ｂ）はその部分拡大側面図、（ｃ）はその部分平面図。
【符号の説明】
１…基台部  ２…支持フレーム  ２ａ…垂直昇降用ガイド  ３…上刃
３ａ…上刃の刃部  ４…フレーム  ５…下刃  ５ａ…下刃の刃部  ６…アーム
７…第１取付部  ８…第２取付部  ９…支点板
１０…支点部  １１…螺子  １２…螺子軸受部
ｗ…ワーク
【図１】
0003985502.tif 000002
【図２】
0003985502.tif 000003
【図３】
0003985502.tif 000004